(57)【要約】【課題】本発明は、一度に多くのパチンコ球を購入することができるパチンコ球計数部が内蔵された紙幣識別装置を提供することを目的とするものである。【解決手段】貨幣識別部として紙幣識別部を用いるとともに、パチンコ球の計数手段４５は、紙幣識別部からの出力信号に基づいて計数手段４５でパチンコ球５３を計数して所定数のパチンコ球５３を流出口４４から流出させた後、パチンコ球５３の流出を停止させる停止手段とを有したものである。これにより、一度に多くのパチンコ球を購入することができる。【選択図】図１
2005218739.tif 000002
【特許請求の範囲】
【請求項１】
貨幣識別部と、この貨幣識別部と同一の筐体内に設けられたパチンコ球計数部からなり、前記パチンコ球計数部は、前記筐体の上端部に設けられたパチンコ球の流入口と、この流入口に連結して設けられた前記パチンコ球の通路と、この通路の途中に設けられた前記パチンコ球の計数手段と、前記通路の終端部に設けられた前記パチンコ球の流出口とを備え、前記貨幣識別部には紙幣識別部を用いるとともに、前記計数手段は、前記紙幣識別部からの出力信号に基づいて前記計数手段で前記パチンコ球を計数して所定数の前記パチンコ球を前記流出口から流出させた後、前記パチンコ球の流出を停止させる停止手段とを有するパチンコ球計数部が内蔵された紙幣識別装置。
【請求項２】
計数手段は、紙幣識別部から着脱可能とした請求項１に記載のパチンコ球計数部が内蔵された紙幣識別装置。
【請求項３】
パチンコ球の通路は、筐体側面側に開口して設けられた請求項１に記載のパチンコ球計数部が内蔵された紙幣識別装置。
【請求項４】
紙幣識別部側に設けられた第１の通路と、この第１の通路に連結するとともにパチンコ球計数部側に設けられた第２の通路と、この第２の通路を挟んで一方に紙幣の搬送手段が設けられるとともに他方にはパチンコ球の通路が設けられた請求項１に記載のパチンコ球計数部が内蔵された紙幣識別装置。
【請求項５】
計数手段とパチンコ球の流入口との間の通路に第１のセンサを設けるとともに前記計数手段と前記パチンコ球の流出口との間に第２のセンサが設けられた請求項１に記載のパチンコ球計数部が内蔵された紙幣識別装置。
【請求項６】
計数手段と第２のセンサとの距離は、少なくともパチンコ球２個以上離された請求項５に記載のパチンコ球計数部が内蔵された紙幣識別装置。
【請求項７】
計数手段は、モータと、このモータに連結されたウオームギアと、このウオームギアに連結されるとともにパチンコ球の通路に突出して前記パチンコ球を１個ずつ搬送する歯が設けられた玉切盤と、前記歯の通過を計数するセンサとで形成された請求項１に記載のパチンコ球計数部が内蔵された紙幣識別装置。
【請求項８】
玉切盤に設けられた歯は、パチンコ球と当接する部分は曲線を有するとともに、反対側は直線形状とし、この直線形状部の通過を計数するようにセンサが設けられた請求項７に記載のパチンコ球計数部が内蔵された紙幣識別装置。
【請求項９】
計数手段は、ソレノイドと、このソレノイドに連結するとともにパチンコ球の通路に突出して前記パチンコ球を１個ずつ搬送するレバーとで構成された請求項１に記載のパチンコ球計数部が内蔵された紙幣識別装置。
【請求項１０】
計数手段は、モータと、このモータに連結するとともにパチンコ球の通路に突出して前記パチンコ球を１個ずつ搬送するウオームとで構成された請求項１に記載のパチンコ球計数部が内蔵された紙幣識別装置。
【請求項１１】
紙幣識別部は、紙幣の挿入口と、この挿入口に連結して設けられた紙幣の通路と、この通路に挿入された紙幣を搬送する搬送手段と、前記通路の壁面に設けられたセンサと、このセンサに接続された増幅器と、この増幅器の出力に接続されたＡ／Ｄ変換器と、このＡ／Ｄ変換器の出力に接続された周波数分析器と、この周波数分析器の出力が一方の入力に接続されるとともに、他方の入力には基準値が格納されたメモリが接続された比較器と、この比較器の出力が接続された判定器とを備え、前記周波数分析器で前記Ａ／Ｄ変換器からの出力信号をフーリエ変換して、このフーリエ変換波形に基づいて紙幣の真偽を判別する請求項１に記載のパチンコ球計数部が内蔵された紙幣識別装置。
【請求項１２】
フーリエ変換波形で、彫刻凹版印刷とドット印刷とを区別する請求項１１に記載のパチンコ球計数部が内蔵された紙幣識別装置。
【請求項１３】
フーリエ変換波形において、２５０Ｈｚから１ＫＨｚの波形の特徴で挿入口から挿入された紙幣の真偽を判別する請求項１２に記載のパチンコ球計数部が内蔵された紙幣識別装置。
【請求項１４】
紙幣の特定の位置におけるフーリエ変換波形に基づいて紙幣の金種を判別する請求項１２に記載のパチンコ球計数部が内蔵された紙幣識別装置。
【請求項１５】
紙幣の通過時間でフーリエ変換波形を正規化する請求項１１に記載のパチンコ球計数部が内蔵された紙幣識別装置。
【請求項１６】
周波数分析器の出力で基準値を補正する請求項１１に記載のパチンコ球計数部が内蔵された紙幣識別装置。
【請求項１７】
センサには光学センサと磁気センサを用い、この光学センサと磁気センサから出力される信号に基づいて挿入された紙幣を判別する請求項１１に記載のパチンコ球計数部が内蔵された紙幣識別装置。
【請求項１８】
通路の壁面に設けられたセンサは、発光ダイオードとこの発光ダイオードからの発光出力を受光するフォトダイオードとからなり、前記発光ダイオードは１色の発光ダイオードのみで形成された請求項１１に記載のパチンコ球計数部が内蔵された紙幣識別装置。
【請求項１９】
通路の壁面に設けられたセンサは、発光ダイオードとこの発光ダイオードからの発光出力を受光するフォトダイオードとからなり、前記発光ダイオードは赤色発光ダイオードで形成された請求項１に記載のパチンコ球計数部が内蔵された紙幣識別装置。
【請求項２０】
通路の壁面に設けられたセンサは、発光ダイオードとこの発光ダイオードからの発光出力を受光するフォトダイオードとからなり、前記発光ダイオードは赤外光を含む赤色発光ダイオードで形成された請求項１１に記載のパチンコ球計数部が内蔵された紙幣識別装置。
【請求項２１】
通路の壁面に設けられたセンサは、発光ダイオードとこの発光ダイオードからの発光出力を受光するフォトダイオードとからなり、前記発光ダイオードは赤外色発光ダイオードで形成された請求項１１に記載のパチンコ球計数部が内蔵された紙幣識別装置。
【請求項２２】
通路の壁面に設けられたセンサは、発光ダイオードとこの発光ダイオードからの発光出力を受光するフォトダイオードとからなり、前記発光ダイオードは青色発光ダイオードで形成された請求項１１に記載のパチンコ球計数部が内蔵された紙幣識別装置。
【発明の詳細な説明】
【技術分野】
【０００１】
本発明は、パチンコ台間機等に使用されるパチンコ球計数部が内蔵された紙幣識別装置に関するものである。
【背景技術】
【０００２】
以下、従来のパチンコ球計数部が内蔵された貨幣識別装置について説明する。従来のパチンコ球計数部が内蔵された貨幣識別装置は、貨幣識別部として硬貨識別部が用いられ、この硬貨識別部とパチンコ球計数部とでパチンコ球計数部が内蔵された貨幣識別装置が構成されていた。
【０００３】
即ち、図１５に示すように、硬貨識別部は、筐体１の上方に設けられた硬貨の投入口２と、この投入口２に連結して設けられた硬貨の通路３と、この通路３の側壁に設けられた硬貨の識別センサ４と、この識別センサ４に接続された識別回路（図示せず）と、前記通路３の終端に設けられるとともに硬貨の真貨・偽貨の振り分けゲート５と、この真貨・偽貨の振り分けゲート５の下流に設けられた硬貨の金種振り分けゲート６と、この金種振り分けゲート６の一方の下流に設けられた硬貨の出口７と、前記金種振り分けゲート７の他方の下流に設けられた硬貨の出口８とで構成されていた。
【０００４】
また、パチンコ球計数部は、筐体１の上端部に設けられたパチンコ球の入口９と、この入口９に連結して設けられたパチンコ球の通路１０と、この通路１０の途中に設けられたパチンコ球の計数手段１１と、前記通路１０の終端に設けられたパチンコ球の流出口１２とで構成されていた。
【０００５】
そして、硬貨識別部の識別回路から出力される信号に基づいて、パチンコ球計数部の計数手段でパチンコ球を計数して、流出口１２からパチンコ球を流出させていた。
【０００６】
なお、この出願の発明に関連する先行技術文献情報としては、例えば、特許文献１、特許文献２が知られている。
【特許文献１】特開平９−３５１１８号公報
【特許文献２】特開平８−７１４９号公報
【発明の開示】
【発明が解決しようとする課題】
【０００７】
しかしながらこのような従来のパチンコ球計数部が内蔵された硬貨識別装置では、使用できる貨幣は硬貨であったため小額であり、一度に多くのパチンコ球を購入することはできなかった。
【０００８】
本発明は、この問題を解決したもので、一度に多くのパチンコ球を購入することができるパチンコ球計数部が内蔵された紙幣識別装置を提供することを目的としたものである。
【課題を解決するための手段】
【０００９】
この目的を達成するために本発明のパチンコ球計数部が内蔵された紙幣識別装置は、貨幣識別部として紙幣識別部を用いるとともに、パチンコ球の計数手段は、前記紙幣識別部からの出力信号に基づいて前記計数手段でパチンコ球を計数して所定数の前記パチンコ球を流出口から流出させた後、前記パチンコ球の流出を停止させる停止手段とを有したものである。
【００１０】
これにより、一度に多くのパチンコ球を購入することができる。
【００１１】
本発明の請求項１に記載の発明は、貨幣識別部と、この貨幣識別部の筐体内に設けられたパチンコ球計数部からなり、前記パチンコ球計数部は、前記筐体の上端部に設けられたパチンコ球の流入口と、この流入口に連結して設けられた前記パチンコ球の通路と、この通路の途中に設けられた前記パチンコ球の計数手段と、前記通路の終端部に設けられた前記パチンコ球の流出口とを備え、前記貨幣識別部には紙幣識別部を用いるとともに、前記計数手段は、前記紙幣識別部からの出力信号に基づいて前記計数手段で前記パチンコ球を計数して所定数の前記パチンコ球を前記流出口から流出させた後、前記パチンコ球の流出を停止させる停止手段とを有するパチンコ球計数部が内蔵された紙幣識別装置であり、貨幣識別部として紙幣識別部を用いているので、硬貨識別部を用いた従来のパチンコ球計数部が内蔵された硬貨識別装置と比べて一度に多くのパチンコ球を購入することができる。
【００１２】
また、計数手段はパチンコ球を計数して所定数のパチンコ球を流出口から流出させた後、パチンコ球の流出を停止させる停止手段とを有したものであり、パチンコ球の計数とともに停止をもすることができ、装置の小型化を図ることができる。
【００１３】
請求項２に記載の発明の計数手段は、紙幣識別部から着脱可能とした請求項１に記載のパチンコ球計数部が内蔵された紙幣識別装置であり、パチンコ球計数部を取り外せば、通常の紙幣識別装置としても使用することができる。従って、同じ生産ラインを用いて、通常の紙幣識別装置とパチンコ球計数部が内蔵された紙幣識別装置の両方を生産することができる。
【００１４】
請求項３に記載の発明は、パチンコ球の通路が筐体側面側に開口して設けられた請求項１に記載のパチンコ球計数部が内蔵された紙幣識別装置であり、パチンコ球の通路が開口しているので、通路の清掃を容易に行うことができる。
【００１５】
請求項４に記載の発明は、紙幣識別部側に設けられた第１の通路と、この第１の通路に連結するとともにパチンコ球計数部側に設けられた第２の通路と、この第２の通路を挟んで一方に紙幣の搬送手段が設けられるとともに他方にはパチンコ球の通路が設けられた請求項１に記載のパチンコ球計数部が内蔵された紙幣識別装置であり、第２の通路を挟んで搬送手段の反対側にパチンコ球の通路が設けられているので、パチンコ球計数部の小型化を図ることができる。
【００１６】
請求項５に記載の発明は、計数手段とパチンコ球の流入口との間の通路に第１のセンサを設けるとともに前記計数手段と前記パチンコ球の流出口との間に第２のセンサが設けられた請求項１に記載のパチンコ球計数部が内蔵された紙幣識別装置であり、計数手段とパチンコ球の流入口との間の通路に第１のセンサが設けられているので、パチンコ球が通路に充填されていないのに計数手段を働かせることはない。また、計数手段とパチンコ球の流出口との間に第２のセンサが設けられているので、流出口側の通路にパチンコ球が詰まっているのに、更に計数手段を働かせることはない。
【００１７】
請求項６に記載の発明は、計数手段と第２のセンサとの距離は、少なくともパチンコ球２個以上離された請求項５に記載のパチンコ球計数部が内蔵された紙幣識別装置であり、流出口側の通路にパチンコ球が詰まっているにもかかわらず、計数後のパチンコ球のバウンドで第２のセンサが誤動作することはない。
【００１８】
請求項７に記載の発明の計数手段は、モータと、このモータに連結されたウオームギアと、このウオームギアに連結されるとともにパチンコ球の通路に突出して前記パチンコ球を１個ずつ搬送する歯が設けられた玉切盤と、前記歯の通過を計数するセンサとで形成された請求項１に記載のパチンコ球計数部が内蔵された紙幣識別装置であり、ウオームギアを用いているので、小さな力のモータでも大きな駆動力と停止力を得ることができる。また、ウオームギアを用いているので、パチンコ球の払い出しを停止させる停止手段を容易に実現することができる。更に、ウオームギアを用いているので、パチンコ球の静かな払い出し動作が実現できる。
【００１９】
請求項８に記載の発明は、玉切盤に設けられた歯は、パチンコ球と当接する部分は曲線を有するとともに、反対側は直線形状とし、この直線形状部の通過を計数するようにセンサが設けられた請求項７に記載のパチンコ球計数部が内蔵された紙幣識別装置であり、パチンコ球と当接する部分は曲線が形成されているので、歯への応力の集中が生ずることはなく玉切盤の長寿命化を図ることができる。また曲線で形成された歯の反対側は直線形状としているので、通過する歯をセンサで容易に計数することができる。
【００２０】
請求項９に記載の発明の計数手段は、ソレノイドと、このソレノイドに連結するとともにパチンコ球の通路に突出して前記パチンコ球を１個ずつ搬送するレバーとで構成された請求項１に記載のパチンコ球計数部が内蔵された紙幣識別装置であり、簡単な構成で計数手段を実現することができるので、低価格化を図ることができる。
【００２１】
請求項１０に記載の発明の計数手段は、モータと、このモータに連結するとともにパチンコ球の通路に突出して前記パチンコ球を１個ずつ搬送するウオームとで構成された請求項１に記載のパチンコ球計数部が内蔵された紙幣識別装置であり、パチンコ球の計数と停止をウオームで直接制御しているので、構成を簡単にすることができる。また、ウオームを用いているので、小さな力のモータでも大きな駆動力と停止力を得ることができる。更に、ウオームを用いているので、パチンコ球の払い出しを停止させる停止手段を容易に実現することができる。更にまた、ウオームを用いているので、パチンコ球の静かな払い出し動作を実現することができる。
【００２２】
請求項１１に記載の発明の紙幣識別部は、紙幣の挿入口と、この挿入口に連結して設けられた紙幣の通路と、この通路に挿入された紙幣を搬送する搬送手段と、前記通路の壁面に設けられたセンサと、このセンサに接続された増幅器と、この増幅器の出力に接続されたＡ／Ｄ変換器と、このＡ／Ｄ変換器の出力に接続された周波数分析器と、この周波数分析器の出力が一方の入力に接続されるとともに、他方の入力には基準値が格納されたメモリが接続された比較器と、この比較器の出力が接続された判定器とを備え、前記周波数分析器で前記Ａ／Ｄ変換器からの出力信号をフーリエ変換して、このフーリエ変換波形に基づいて紙幣の真偽を判別する請求項１に記載のパチンコ球計数部が内蔵された紙幣識別装置であり、センサからのアナログ出力をＡ／Ｄ変換器でデジタル量に変換しその後フーリエ変換するので、入力された振幅情報は周波数情報に変換される。従って、このように周波数情報を用いることにより、たとえ遊技場のように照明の強く且つ照度が変化する場所で使用しても、その影響を大幅に軽減することができる。従って、識別性能が向上する。
【００２３】
また、センサや増幅器の経時変化による振幅情報の影響を受けにくくなり、判別能力が向上する。
【００２４】
更に、従来のようにアナログ処理ではなく、デジタル処理となるので、ノイズ等の影響は受けにくくなる。
【００２５】
更にまた、対数増幅器のＤ／Ａ変換手段によるゲイン調整や直線性の優れたリニア増幅回路等が不要となり、回路の簡素化と小型化を図ることができる。
【００２６】
請求項１２に記載の発明は、フーリエ変換波形で、彫刻凹版印刷とドット印刷とを区別する請求項１１に記載のパチンコ球計数部が内蔵された紙幣識別装置であり、フーリエ変換により周波数情報に変換するので、印刷技術による相違を確実に判別することができる。
【００２７】
請求項１３に記載の発明は、フーリエ変換波形において、２５０Ｈｚから１ＫＨｚの波形の特徴で挿入口から挿入された紙幣の真偽を判別する請求項１２に記載のパチンコ球計数部が内蔵された紙幣識別装置であり、特にこの周波数帯において、彫刻凹版印刷とドット印刷の相違が顕著に表れる。従って、真券と偽券の判別を容易かつ確実に行うことができる。
【００２８】
請求項１４に記載の発明は、紙幣の特定の位置におけるフーリエ変換波形に基づいて紙幣の金種を判別する請求項１２に記載のパチンコ球計数部が内蔵された紙幣識別装置であり、紙幣の金種情報を示す特定の位置におけるフーリエ変換波形に基づいて金種を判別しているので、正確な紙幣の金種判別ができる。
【００２９】
請求項１５に記載の発明は、紙幣の通過時間でフーリエ変換波形を正規化する請求項１１に記載のパチンコ球計数部が内蔵された紙幣識別装置であり、紙幣の通過時間で正規化しているので、搬送速度による誤差がなくなり、正確な判別ができる。
【００３０】
請求項１６に記載の発明は、周波数分析器の出力で基準値を補正する請求項１１に記載のパチンコ球計数部が内蔵された紙幣識別装置であり、センサ等の経時変化を補正することができる。
【００３１】
請求項１７に記載の発明は、センサには光学センサと磁気センサを用い、この光学センサと磁気センサから出力される信号に基づいて挿入された紙幣を判別する請求項１１に記載のパチンコ球計数部が内蔵された紙幣識別装置であり、紙幣に印刷された模様と磁気の情報を使うので、より正確な真偽判定と金種判定ができる。
【００３２】
請求項１８に記載の発明は、通路の壁面に設けられたセンサは、発光ダイオードとこの発光ダイオードからの発光出力を受光するフォトダイオードとからなり、前記発光ダイオードは１色の発光ダイオードのみで形成された請求項１１に記載のパチンコ球計数部が内蔵された紙幣識別装置であり、フーリエ変換技術を用いることにより１色の発光ダイオードのみで紙幣を識別することができる。従って、小型であり且つ低価格の紙幣識別部を提供することができる。
【００３３】
請求項１９に記載の発明は、通路の壁面に設けられたセンサは、発光ダイオードとこの発光ダイオードからの発光出力を受光するフォトダイオードとからなり、前記発光ダイオードは赤色発光ダイオードで形成された請求項１１に記載のパチンコ球計数部が内蔵された紙幣識別装置であり、紙幣を使用することにより生ずる紙幣の皺の影響を受け難い紙幣識別部を提供することができる。
【００３４】
請求項２０に記載の発明は、通路の壁面に設けられたセンサは、発光ダイオードとこの発光ダイオードからの発光出力を受光するフォトダイオードとからなり、前記発光ダイオードは赤外光を含む赤色発光ダイオードで形成された請求項１１に記載のパチンコ球計数部が内蔵された紙幣識別装置であり、低価格で高輝度を有する発光ダイオードを使用することができるので、低価格・高性能の紙幣識別部を提供することができる。
【００３５】
請求項２１に記載の発明は、通路の壁面に設けられたセンサは、発光ダイオードとこの発光ダイオードからの発光出力を受光するフォトダイオードとからなり、前記発光ダイオードは赤外色発光ダイオードで形成された請求項１１に記載のパチンコ球計数部が内蔵された紙幣識別装置であり、赤外光を用いるので、赤外光による紙幣の識別のみならず、磁気印刷をも検出することができ、発光ダイオードのみで正確な紙幣の識別を行うことができる。
【００３６】
請求項２２に記載の発明は、通路の壁面に設けられたセンサは、発光ダイオードとこの発光ダイオードからの発光出力を受光するフォトダイオードとからなり、前記発光ダイオードは青色発光ダイオードで形成された請求項１１に記載のパチンコ球計数部が内蔵された紙幣識別装置であり、青色発光ダイオードは波長が短いので、紙質による透過率の相違も検出することができる。従って、青色光による紙幣の識別のみならず、紙質による透過率の相違をも検出することができ、正確な紙幣の識別を行うことができる。
【発明の効果】
【００３７】
以上のように本発明によれば、貨幣識別部には紙幣識別部を用いるとともに、パチンコ球の計数手段は、前記紙幣識別部からの出力信号に基づいて前記計数手段でパチンコ球を計数して所定数の前記パチンコ球を流出口から流出させた後、前記パチンコ球の流出を停止させる停止手段とを有したパチンコ球計数部が内蔵された紙幣識別装置であり、貨幣識別部として紙幣識別部を用いているので、硬貨識別部を用いた従来のパチンコ球計数部が内蔵された硬貨識別装置と比べて一度に多くのパチンコ球を購入することができる。
【００３８】
また、計数手段はパチンコ球を計数して所定数のパチンコ球を流出口から流出させた後、パチンコ球の流出を停止させる停止手段とを有したものであり、パチンコ球の計数をするとともに停止をもすることができ、装置の小型化を図ることができる。
【発明を実施するための最良の形態】
【００３９】
（実施の形態１）
以下、本発明の実施の形態１について図面を用いて説明する。図２において、２１は一つのパチンコ台と他のパチンコ台との間に挿入される台間機であり、２２はその筐体である。２３はこの筐体２２の略中央前面に取り付けられた本発明のパチンコ球計数部が内蔵された紙幣識別装置（以下、単に紙幣識別装置という）である。そして、２３ａは紙幣の挿入口である。２４は台間機２１へのパチンコ球の流入口であり、２５はこの流入口２４に連結されるとともに紙幣識別装置２３にパチンコ球を導く通路である。
【００４０】
２６は、台間機２１の下方前面に設けられたパチンコ球の流出口であり、２７は紙幣識別装置２３から流出口２６にパチンコ球を導く通路である。そして、この流出口２６に連結してパチンコ球の払い出し部２８が設けられている。この払い出し部２８は矢印２９方向に回動させることにより、パチンコ球を遊戯者に払い出すことができる。図２は遊戯に邪魔にならないようにこの払い出し部２８を折り畳んだ図である。
【００４１】
図１は、紙幣識別装置２３の側面図である。この紙幣識別装置２３は、紙幣識別部とパチンコ球計数部とで構成されている。まず、紙幣識別部から説明する。
【００４２】
図１において、２３ａは紙幣の挿入口であり、３１はこの挿入口２３ａに連結して設けられた通路である。３２は挿入口２３ａの近傍の通路３１の壁面に設けられた入口センサであり、３３はベルトとローラで構成された搬送手段である。この搬送手段３３は入口センサ３２より奥の通路３１の壁面に設けられており、挿入口２３ａから挿入された紙幣を搬送するものである。
【００４３】
３４は、搬送手段３３上であって通路３１の略中央の壁面に設けられたセンサである。このセンサ３４は挿入口２３ａから挿入された紙幣の特徴情報を取り出すものである。３５は挿入された紙幣の引き抜きを防止する引き抜き防止レバーであり、３６は通路３１の終端に連結して設けられた紙幣の出口である。この紙幣の出口３６はパチンコ島搬送装置に連結される。
【００４４】
以上のように構成された紙幣識別部において、挿入口２３ａから挿入された紙幣は通路３１を通って入口センサ３２で検出される。入口センサ３２で紙幣が検出されると搬送手段３３が搬送を開始し、紙幣は奥方に搬送される。そして、センサ３４で紙幣の特徴が抽出され紙幣の真偽及び金種が識別される。なお、この紙幣の識別の詳細については実施の形態４で説明する。そして、識別された紙幣は引き抜き防止レバー３５を通って出口３６からパチンコ島搬送装置に向けて流出される。
【００４５】
次に、この紙幣識別装置２３に内蔵されたパチンコ球計数部について説明する。４１はパチンコ球の流入口であり、紙幣識別装置２３の筐体４２の奥方上端部に設けられている。この流入口４１は台間機２１の通路２５に連結される。
【００４６】
４３は、流入口４１に連結して設けられたパチンコ球の通路である。そして、この通路４３の終端は、筐体４２の奥方下端部に設けられた流出口４４に連結されている。なお、この流出口４４は台間機２１の通路２７に連結される。
【００４７】
４５は、通路４３の中央よりやや下方に設けられた計数手段であり、紙幣識別部から出力される信号に従ってパチンコ球の数を計数して流出口４４へパチンコ球を排出するとともに、計数が終了したらパチンコ球の流出を停止させる停止手段をも含んだものである。この計数手段４５についての詳細は後述する。
【００４８】
４６は、流入口４１と計数手段４５との間の通路４３の壁面に設けられたセンサである。また、４７は計数手段４５と流出口４４との間の通路４３の壁面に設けられたセンサである。
【００４９】
以上のように貨幣識別部として紙幣識別部を用いているので、硬貨識別装置を用いた従来のパチンコ球計数部が内蔵された硬貨識別装置と比べて一度に多くのパチンコ球を購入することができる。
【００５０】
また、計数手段４５はパチンコ球を計数して所定数のパチンコ球を流出口４４へ流出させた後、パチンコ球の流出口４４からの流出を停止させるものであり、パチンコ球の計数をするとともに停止をもすることができ、装置の小型化を図ることができる。
【００５１】
図３は、パチンコ球計数部が内蔵された紙幣識別装置２３の平面図である。図３において、４２は筐体であり、この筐体４２の前方には紙幣の挿入口２３ａが設けられており、この挿入口２３ａには通路３１が連結して設けられている。そして、この通路３１には紙幣を搬送する搬送手段３３が設けられている。この搬送手段３３は搬送ベルト３３ａとローラ３３ｂとで構成されており、この搬送ベルト３３ａとローラ３３ｂで紙幣を挟んで出口３６方向に向かって搬送するものである。
【００５２】
５１は、この搬送手段３３の終端に連結された第２の搬送手段であり、通路３１上に設けられている。そして、この第２の搬送手段５１は、搬送手段３３で搬送された紙幣を出口３６まで搬送して、この出口３６に連結されるパチンコ島搬送装置に向かって搬出するものである。この第２の搬送手段５１も搬送ベルト５１ａとローラ５１ｂとで構成されており、この搬送ベルト５１ａとローラ５１ｂで紙幣を挟んで出口３６方向に向かって搬送するものである。
【００５３】
５２は、出口３６近傍の通路３１に設けられた終端レバーであり、この終端レバー５２で紙幣の通過を検出すると搬送手段３３と第２の搬送手段５１は搬送動作を終了する。
【００５４】
４３は、通路３１を挟んで第２の搬送手段５１の反対側に設けられたパチンコ球の通路である。この通路４３は筐体４２の側面外側に向かって開口しており、この通路４３の開口部４３ａに台間機２１の筐体２２の側面が当接している。そしてこの中をパチンコ球５３が通過する。
【００５５】
このように、通路４３は筐体４２の側面外側に向かって開口しているので、パチンコ球の通路４３の清掃を容易に行うことができる。また、このパチンコ球の通路４３は、紙幣の通路３１を挟んで第２の搬送手段５１の反対側に設けられているので、省スペース化ができ小型化を図ることができる。
【００５６】
また、搬送手段３３までの領域で略紙幣識別部が構成され、第２の搬送手段５１の領域でパチンコ球計数部が構成されている。このパチンコ球計数部に計数手段４５は設けられている。そして、この計数手段４５を含むパチンコ球計数部は、紙幣識別装置２３から着脱可能としているので、パチンコ球計数部を取り外せば、通常の紙幣識別装置としても使用することができる。従って、同じ生産ラインを用いて、単独の紙幣識別装置と、パチンコ球計数部が内蔵された紙幣識別装置２３の両方を生産することができる。
【００５７】
図４は紙幣識別装置２３のパチンコ球計数部近傍の側面図である。図４において、筐体４２の上端に設けられたパチンコ球５３の流入口４１に通路４３が連結して設けられている。そしてこの通路４３の終端は筐体４２の下端に設けられた流出口４４に連結している。４５は、通路４３の中央よりやや下方に設けられたパチンコ球５３の計数手段である。
【００５８】
そして、計数手段４５とパチンコ球５３の流入口４１との間の通路４３に第１のセンサ４６が設けられている。この第１のセンサ４６がパチンコ球５３の存在を検知している時に限り、計数手段４５を働かせてパチンコ球５３を計数するようにしている。従って、パチンコ球５３が無いのに計数手段４５を働かさせることはなく、パチンコ球５３を排出しないのに排出したというミスカウントをすることはない。
【００５９】
また計数手段４５とパチンコ球５３の流出口４４との間に第２のセンサ４７が設けられており、この第２のセンサ４７がパチンコ球５３を検出すれば、計数手段４５は働かないようにしている。即ち、流出口４４側の通路４３にパチンコ球５３が詰まっているのに、更に計数手段４５を働かせることがないようにしている。
【００６０】
また、計数手段４５と第２のセンサ４７との間は、少なくともパチンコ球５３が２個以上入る距離５４を設けている。これは、流出口４４側の通路４３にパチンコ球５３が詰まっているにもかかわらず、計数手段４５での計数後にパチンコ球５３がバウンドで第２のセンサ４７から離れて、パチンコ球５３が無いと判断し、更に計数手段４５を働かせて、パチンコ球５３を通路４３に詰まらせることを防止するために重要なことである。
【００６１】
次に、計数手段４５について説明する。５５はモータであり、このモータ５５はギア５６に連結している。そしてこのギア５６はウオーム５７に連結し、このウオーム５７はウオームホイール５８に連結している。そして、このウオームホイール５８は玉切盤５９に一体的に取り付けられている。ここでウオーム５７とウオームホイール５８とでウオームギアを形成している。
【００６２】
玉切盤５９は円板状をしており、その円周上にはパチンコ球５３を１個ずつ搬送する歯５９ａが設けられている。そして、この歯５９ａは常に２個のみ通路４３に突出するように設けられている。また、６０は玉切盤５９の中心から垂直方向の下方に設けられたセンサであり、このセンサ６０は歯５９ａが横切るように取り付けられてパチンコ球５３の排出数を計数する。
【００６３】
従って、モータ５５を回転させることにより、その回転動力はギア５６とウオーム５７とウオームホイール５８を介して玉切盤５９を回転させる。このことにより、玉切盤５９に設けられた歯５９ａでパチンコ球５３を１個ずつ搬送する。そして、この搬送されたパチンコ球５３はセンサ６０で検出されて計数される。なお、この計数は紙幣識別部の制御部１３０（実施の形態４で述べる）で、挿入された紙幣の額に応じて計数し排出される。
【００６４】
また、モータ５５の回転を停止することにより、玉切盤５９の回転は停止し、パチンコ球５３の搬送は停止される。即ち、この搬送手段４５は停止手段としても働く訳である。この玉切盤５９の回転を停止させる停止信号は制御部１３０から出力される。
【００６５】
このように本実施の形態においては、ウオームギアを用いているので、小さな力のモータ５５でも大きな駆動力と停止力を得ることができる。また、ウオームギアを用いているので、パチンコ球５３の払い出しを停止させる停止手段を容易に実現することができる。更に、ウオームギアを用いているので、パチンコ球５３の静かな払い出し動作を実現することができる。
【００６６】
図５は、玉切盤５９近傍の側面図である。玉切盤５９は潤滑性のある材料で形成されている。その直径は略５ｃｍであり、その円周上にはパチンコ球５３を１個ずつ搬送できるように歯５９ａが１０個設けられている。そして、この歯５９ａは常時２個のみ通路４３側へ突出してパチンコ球５３を確りとかかえるようになっている。
【００６７】
また、この歯５９ａのパチンコ球５３と当接する部分５９ｂは曲線状に形成されている。従って、歯５９ａへ応力が集中することはなく玉切盤５９の長寿命化を図ることができる。また、歯５９ａの部分５９ｂの反対側５９ｃは直線形状にしている。従って、センサ６０を通過する歯５９ａの計数は容易となる。
【００６８】
（実施の形態２）
図６は、実施の形態２におけるパチンコ球計数部が内蔵された紙幣識別装置の計数手段の要部側面図である。図６において、７１はソレノイドであり、このソレノイド７１にはパチンコ球５３を１個ずつ搬送するとともに搬送を停止させるレバー７２が連結されている。このレバー７２の先端は「コ」の字状をしており、通路４３側へ突出している。
【００６９】
ソレノイド７１に通電して矢印７３方向に吸引することにより、レバー７２が二点鎖線で示すように回動し、パチンコ球５３を矢印７４の方向に１個ずつ搬送する。
【００７０】
本実施の形態においては、このように簡単な構成で計数手段４５を実現することができるので、低価格化を図ることができる。
【００７１】
（実施の形態３）
図７は、実施の形態３におけるパチンコ球計数部が内蔵された紙幣識別装置の計数手段の要部側面図である。図７において、８１はモータであり、このモータ８１にはウオーム８２が連結されている。このウオーム８２の歯８２ａの部分が通路４３に突出し、この歯８２ａでパチンコ球５３を搬送したり、停止させたりするものである。
【００７２】
即ち、モータ８１でウオーム８２を矢印８３方向に回転させることにより、パチンコ球５３が矢印８４方向に搬送される。また、モータ８１の回転を停止させることにより、パチンコ球５３の搬送も停止する。
【００７３】
このように、パチンコ球５３の計数と停止をウオーム８２で直接制御しているので、構成を簡単にすることができる。また、ウオーム８２を用いているので、小さな力のモータ８１でも大きな駆動力と停止力を得ることができる。更に、ウオーム８２を用いているので、パチンコ球５３の払い出しを停止させる停止手段を容易に実現することができる。更にまた、ウオーム８２を用いているので、パチンコ球５３の静かな払い出し動作を実現することができる。
【００７４】
（実施の形態４）
実施の形態４からはパチンコ球計数部が内蔵された紙幣識別装置２３の紙幣識別部について図面を用いて説明する。この紙幣識別部はパチンコ遊技場等のように照明が強く、且つその照明の照度の強弱があったとしても誤認識が少ない紙幣識別部が要求される。
【００７５】
図８において、１２１は紙幣１０５の挿入口（実施の形態１における挿入口２３ａに該当する）であり、１２２はこの挿入口１２１に連結して設けられた紙幣１０５の通路（実施の形態１における通路３１に該当する）である。１２３，１２４は通路１２２の底面に設けられたプーリであり、このプーリ１２３，１２４の間を搬送ベルト１２５（実施の形態１における搬送ベルト３３ａに該当する）が２本その両端に架けられている。１２６，１２７はプーリ１２３，１２４に夫々対向して設けられたローラ（実施の形態１におけるローラ３３ｂに該当する）であり、搬送ベルト１２５とローラ１２６，１２７で紙幣１０５を挟んで搬送するものである。また、プーリ１２４は駆動輪であり、モータ１２８に連結されている。このモータ１２８はモータ駆動回路１２９を介して制御部１３０からの信号で駆動される。また、このモータ１２８の回転は、同期パルス発生器１３１を介して制御部１３０に接続されて制御される。
【００７６】
また、１４７は実施の形態１で述べたパチンコ球計数部であり、１４８はその間を接続する接続線である。
【００７７】
１３２は入口センサ（実施の形態１における入口センサ３２に該当する）である。この入口センサ１３２は通路１２２の入口近傍に設けられており、制御部１３０に接続されている。１３３は、通路１２２の上面に設けられた発光ダイオードであり、制御部１３０に接続されている。１３４は発光ダイオード１３３に対向して通路１２２の底面に設けられたフォトダイオードであり、増幅器１３５の入力に接続されている（この発光ダイオード１３３とフォトダイオード１３４とで実施の形態１におけるセンサ３４を構成している）。
【００７８】
ここで、本実施の形態における発光ダイオード１３３には赤色発光ダイオードを用いている。本発明では後述するフーリエ変換技術を用いているので、１色の波長のみで十分な紙幣１０５の識別を行うことができる。従って、小型であり且つ低価格な紙幣識別部を提供することができる。また、赤色は波長が長いので、紙幣使用により生ずる紙幣の皺による影響を受け難い紙幣識別が可能である。
【００７９】
この赤色発光ダイオードを高輝度にするため、発光ダイオードのＰＮ接合の外に更にＰ層やＮ層を追加することがある。こうすることにより、発光輝度は向上して紙幣識別力が向上する。このとき、Ｐ層やＮ層の追加により赤色の他に赤外色が含まれることがある。しかし、本発明においてはこの赤外色が含まれてもフーリエ変換技術を用いることにより、紙幣１０５の識別をすることができる。即ち、赤外色フィルタ等を用いること無く、赤外光を含む赤色発光ダイオードをそのまま使うことができるので、低価格・高性能の識別が可能である。
【００８０】
また、発光ダイオード１３３として、赤外色発光ダイオードを用いても良い。この場合、赤外光による紙幣１０５の識別のみならず、紙幣１０５に含まれる磁気の識別も行うことができる。従って、磁気情報も含めた正確な紙幣１０５の識別を行うことができる。
【００８１】
また、発光ダイオード１３３として、青色発光ダイオードを用いても良い。青色発光ダイオードは波長が短いので、紙幣１０５の紙質による透過率の相違を検出することができる。従って、青色光による紙幣１０５の識別のみならず、紙幣１０５の透過率の識別も行うことができる。従って、正確な紙幣１０５の識別を行うことができる。
【００８２】
このように発光ダイオード１３３は、赤色の他に、赤外色発光ダイオードや青色発光ダイオードを用いることができる。何れにしても、センサとして発光ダイオード１３３を用いることにより、以降の処理を容易に行うことができる。また、低価格も実現することができる。
【００８３】
増幅器１３５の出力は電子スイッチ１３６の一方の端子に接続されている。この電子スイッチ１３６は、ハードウエアでもソフトウエアでも実現することができる。そして、この電子スイッチ１３６の共通端子はＡ／Ｄ変換器１３７の入力に接続され、その出力はフーリエ変換器（周波数分析器の一例として用いた）１３８の入力に接続されている。また、このフーリエ変換器１３８の出力は比較器１３９の一方の入力に接続されるとともに、補正回路１４０を介してメモリ１４１に接続されている。
【００８４】
そして、このメモリ１４１の出力は比較器１３９の他方の入力に接続されている。この比較器１３９の出力は判定器１４２に接続され、その出力は出力端子１４３に接続されている。なお、電子スイッチ１３６の切り替え信号は制御部１３０から出力される。
【００８５】
１４４は、フォトダイオード１３４と並んで通路１２２の底面に設けられた磁気センサであり、この磁気センサ１４４の出力は増幅器１４５を介して電子スイッチ１３６の他方の端子に接続されている。そして、この磁気センサ１４４と発光ダイオード１３３とフォトダイオード１３４とでセンサ部１４６を形成している。また、制御部１３０、フーリエ変換器１３８、比較器１３９、補正回路１４０、メモリ１４１、判定器１４２はマイクロコンピュータでソフトウエア的に構成されている。
【００８６】
以上のように構成された紙幣識別装置において、以下にその動作を説明する。
【００８７】
入口センサ１３２が紙幣１０５を検出すると、この検出信号は制御部１３０に送られる。制御部１３０では、この検出信号で駆動回路１２９を働かせてモータ１２８を回転させる。このことにより、モータ１２８に連結されたプーリ１２４が回転し、搬送ベルト１２５が紙幣１０５をセンサ部１４６に向けて搬送する。なお、このときの紙幣１０５の搬送量は同期パルス発生器１３１で検出されて制御部１３０に伝達される。即ち、制御部１３０で同期パルス発生器１３１から出力されるパルス数を計測することにより紙幣１０５の搬送量が測定される。
【００８８】
従って、同期パルス発生器１３１から出力される信号を監視しながら、駆動回路１２９でモータ１２８を駆動することにより、図９に示す紙幣１０５の特定の位置をセンサ部１４６に搬送することができる。また、この同期パルス発生器１３１の出力に基づいて紙幣１０５を正規化する。即ち、駆動回路１２９による紙幣１０５の搬送速度を正規化するので、搬送速度により誤差を少なくすることができる。
【００８９】
紙幣１０５がセンサ部１４６に到達すると、発光ダイオード１３３の光が紙幣１０５を透過してフォトダイオード１３４に入力される。このようにして、紙幣１０５の模様に応じて変化する信号がフォトダイオード１３４に入力される。そして、この信号が増幅器１３５で増幅される。また、磁気センサ１４４からは紙幣１０５の磁気に応じて変化する信号が増幅器１４５で増幅される。そして、増幅器１３５から出力されたフォトダイオード１３４からの信号と、増幅器１４５から出力された磁気センサ１４４の信号は電子スイッチ１３６で適宜選択されて次にＡ／Ｄ変換器１３７に向けて出力される。そして、このＡ／Ｄ変換器１３７でデジタル量に変換される。このデジタル量に変換された信号は、次のフーリエ変換器１３８でフーリエ級数展開されて周波数情報に変換される。即ち、（数１）に示すようなフーリエ級数展開することにより任意の関数ｆ（ｘ）は三角関数の和の形で表すことができる。つまり、時間軸における振幅情報を周波数軸における振幅情報に変換することができる。
【００９０】
【数１】
2005218739.tif 000003
【００９１】
図１０に紙幣１０５の特定の位置における磁気情報を示している。図１０において、横軸１５１は時間であり、縦軸１５２は振幅である。この図１０における文字情報１５３をフーリエ変換器１３８でフーリエ級数展開したものが図１１である。図１１において、横軸１５４は周波数であり、縦軸１５５は振幅である。１５６は文字情報１５３のフーリエ級数展開特性である。このようにフーリエ級数展開をすることにより、時間軸が周波数軸に変換される。
【００９２】
図１２は、紙幣１０５の特定位置における真券１７０（図示せず）の特性１５７（点線で示している）と偽券１７１（図示せず）の特性１５８（実線で示している）の特性図である。図１２において、横軸１５９は周波数であり、縦軸１６０は振幅である。特性１５７と特性１５８の差の大きいところ１６１，１６２，１６３を用いることにより、真券１７０と偽券１７１とを判別することができる。
【００９３】
図１３は、真券１７０の平均値１７３と偽券１７１の差を示した特性図である。図１３において、横軸１７４は周波数であり、縦軸１７５は振幅である。これは、紙幣１０５の比較的淡い部分であり、偽券１７１の特徴を良く表している。即ち、真券１７０は彫刻凹版印刷であるのに対して、偽券１７１をドット形成するプリンタ（インクジェットカラープリンタ、レーザプリンタ等）を使用しているので、そのドットの特徴１７６が２５０Ｈｚから３５０Ｈｚあたりに現われる。従って、この特徴１７６を検出することにより、真券１７０と偽券１７１とを明確に区別することができる。なお、本実施の形態では、３５０Ｈｚ程度までがその特徴を表わしているが、これは発光ダイオード１３３を含むセンサ部１４６の制約から来るものであり、実際には１ＫＨｚ程度までドットの特徴が現われると考えられる。
【００９４】
図１４は、真券１７０と偽券１７１の文字部分の特徴を１００Ｈｚで正規化した特性図である。図１４において、横軸１８１は周波数であり、縦軸１８２は振幅である。これは、紙幣１０５の文字部の特性比較である。１８３は真券１７０の特性であり、１８４は偽券１７１の特性である。このように文字部分では、１５０Ｈｚ以上で真券１７０と偽券１７１の特徴を表わす。正規化の周波数を１００Ｈｚに選んだのは、このあたりの周波数が安定していることと、金種情報による差が入りにくいという理由によるものである。
【００９５】
また、紙幣１０５の金種の判別については、紙幣１０５の金種等を示す特定位置のフーリエ級数展開に基づいて、その波形の相違から金種を判別している。
【００９６】
このように、周波数軸における振幅の変化を基準値の格納されたメモリ１４１の値と比較器１３９で比較する。そして、その比較量に基づいて判定器１４２で真券１７０と偽券１７１及び金種を判定する。そして、その出力を出力端子１４３から出力する。なお、このときのフーリエ変換された信号は、同期パルス発生器１３１から出力される紙幣１０５の搬送速度で正規化される。従って、紙幣搬送速度による違いは補正されることになる。
【産業上の利用可能性】
【００９７】
本発明にかかるパチンコ球計数部を内蔵した紙幣識別装置は、一度の多くのパチンコ球を購入することができるので、パチンコ遊技場等における台間機に適用することができる。
【図面の簡単な説明】
【００９８】
【図１】本発明の実施の形態１におけるパチンコ球計数部を内蔵した紙幣識別装置の側面図
【図２】同、台間機の側面図
【図３】同、パチンコ球計数部を内蔵した紙幣識別装置の平面図
【図４】同、パチンコ球計数部の側面図
【図５】同、計数手段の側面図
【図６】本発明の実施の形態２におけるパチンコ球計数部を内蔵した紙幣識別装置の計数手段の側面図
【図７】本発明の実施の形態３におけるパチンコ球計数部を内蔵した紙幣識別装置の計数手段の側面図
【図８】本発明の実施の形態４における紙幣識別部のブロック図
【図９】紙幣の平面図
【図１０】本発明の実施の形態４における紙幣の特徴部の時間特性波形図
【図１１】同、紙幣の特徴部の周波数特性波形図
【図１２】同、真券と偽券を区別する第１の特性図
【図１３】同、真券と偽券を区別する第２の特性図
【図１４】同、真券と偽券を区別する第３の特性図
【図１５】従来のパチンコ球計数部を内蔵した紙幣識別装置の側面図
【符号の説明】
【００９９】
２３  パチンコ球計数部が内蔵された紙幣識別装置
４１  流入口
４２  筐体
４３  通路
４４  流出口
４５  計数手段
【図１】
2005218739.tif 000004
【図２】
2005218739.tif 000005
【図３】
2005218739.tif 000006
【図４】
2005218739.tif 000007
【図５】
2005218739.tif 000008
【図６】
2005218739.tif 000009
【図７】
2005218739.tif 000010
【図８】
2005218739.tif 000011
【図９】
2005218739.tif 000012
【図１０】
2005218739.tif 000013
【図１１】
2005218739.tif 000014
【図１２】
2005218739.tif 000015
【図１３】
2005218739.tif 000016
【図１４】
2005218739.tif 000017
【図１５】
2005218739.tif 000018